(57)【特許請求の範囲】
【請求項１】
配線器具が取り付けられる取付枠と、該取付枠に取付ネジにて回動自在に架着された挟み金具とを有し、上記取付ネジを締めこむことによって中空壁に穿設された配線器具の取付け穴の周縁部を上記取付枠と挟み金具とで挟持して中空壁に固定される中空壁用配線器具取付装置であって、
上記挟み金具には、取付ネジ螺着部に連設して上記取付ネジの締め込み時に中空壁に穿設された配線器具の取付穴の内側周縁部に密着する当接部と、該当接部に連設され、上記取付穴の内側周縁部に挟み金具を固定する位置固定爪部とが設けられ、上記当接部は第１の弾性変形部を介して上記取付ネジ螺着部に連設され、上記位置固定爪部は第２の弾性変形部を介して上記当接部から斜め上方に向かって連設されていることを特徴とする中空壁用配線器具取付装置。
【発明の詳細な説明】
【０００１】
【発明の属する技術分野】
本発明は、中空壁に配線器具を取り付ける際、予め中空壁に取り付ける中空壁用配線器具取付装置に関する。
【０００２】
【従来の技術】
従来、石膏ボードなどからなる中空壁にコンセントやスイッチなどの配線器具を取り付ける際、予め配線器具の取付穴を穿設し、その取付穴の外側に取付枠、取付穴の内側に挟み金具を配置し、取付枠と挟み金具とで中空壁を挟むようにネジ止めし、取付枠を中空壁に固定するようになっていた。
【０００３】
【発明が解決しようとする課題】
しかしながら、取付枠と挟み金具とで挟んだ状態だけでは取付枠がずれてしまう恐れがあり、挟み金具に爪部を形成し、その爪が中空壁に食い込むようにすることも考えられるが、中空壁に石膏ボードが使用されている場合、石膏ボードが耐火性、耐腐食性に優れている反面、その表面が紙等のシートで保護されているだけなので耐衝撃性に弱い面があり、爪部を強く食い込ませると、配線器具の長期使用による応力によって石膏ボードが損傷していく恐れがあった。
【０００４】
本発明は上記問題点を解消し、中空壁に確実に固定できるとともに、石膏ボードを損傷しにくい中空壁用配線器具取付装置を提供することをその課題とする。
【０００５】
【課題を解決するための手段】
前記課題を解決するため、本発明に係る中空壁用配線器具取付装置は、配線器具が取り付けられる取付枠と、該取付枠に取付ネジにて回動自在に架着された挟み金具とを有し、上記取付ネジを締めこむことによって中空壁に穿設された配線器具の取付穴の周縁部を上記取付枠と挟み金具とで挟持して中空壁に固定される中空壁用配線器具取付装置であって、上記挟み金具には、取付ネジ螺着部に連設して上記取付ネジの締め込み時に中空壁に穿設された配線器具の取付穴の内側周縁部に密着する当接部と、該当接部に連設され、上記取付穴の内側周縁部に挟み金具を固定する位置固定爪部とが設けられ、上記当接部は第１の弾性変形部を介して上記取付ネジ螺着部に連設され、上記位置固定爪部は第２の弾性変形部を介して上記当接部から斜め上方に向かって連設されていることを特徴とする。
【０００６】
【発明の実施の形態】
図１は、本発明に係る中空壁用配線器具取付装置（以下、取付装置という）Ａを示し、この取付装置Ａは取付枠１と挟み金具２とで構成され、取付ネジ３を取付枠１の両側に形成された挿通孔４を介して挟み金具２のネジ孔５に螺合させ（図２参照）、挟み金具２を中空壁６に穿設された取付穴７の内側に差し込み、取付ネジ３を締め込むことによって、取付枠１の張り出し部１ａと挟み金具２とで取付穴７の周縁部を挟持させるようにして中空壁６に固定できるようになっているもので、スイッチなどの配線器具Ｂを取付枠１の開口部８に最大３個まで取り付けられるようになっているものである。
【０００７】
取付枠１は、図３に示すように、中央に配線器具を取り付ける開口部８が形成され、長手方向両端に張り出した張り出し部１ａには取付ネジ３を挿通させる挿通孔４が形成されるとともに、挿通孔４の両側には、後述する挟み金具２を回動可能に支持する支持孔１０が形成されている。そして、支持孔１０の内周面の一部から支持片１０ａが内方に突出形成されている。中空壁６に穿設される取付穴７は上記取付枠１の両端部が取付穴７の外側面の縁部に重なるように形成されていればよい。
【０００８】
挟み金具２は、図４（ａ）（ｂ）（ｃ）の正面図、右側面図及び底面図に示すように、側面視Ｌ字状に折り曲げられた金属板で構成され、縦板部１１の上部両端には対向してフック部１２がそれぞれ形成され、このフック部１２は上記取付枠１の支持孔１０に形成された支持片１０ａに係合させることにより、支持片１０ａを中心に挟み金具２が上下方向に回動できるようになっている。
【０００９】
挟み金具２の横板部１３は、縦板部１１に近い中央部分には取付ネジ３が螺合する雌ネジ部５が設けられた取付ネジ螺着部１４を形成し、このネジ螺着部１４には中空壁６の内側の縁部に当接する当接部１５が連設されている。ネジ螺着部１４と当接部１５とが連接する部分には第1の弾性変形部１６が形成されている。この第1の弾性変形部１６は２つの長孔１７によって切り取られた残りの３つの連結部で構成され、この連結部１６が撓む（弾性変形する）ことによって当接部１５はネジ螺着部１４に対し上下方向に回動できるようになっている。
【００１０】
そして、上記当接部１５には位置固定爪部２０が斜め上方に向かって連設され、位置固定爪部２０の上端縁２０ａは鋸歯状に形成されている。当接部１５と位置固定爪部２０とが連接する部分には第２の弾性変形部２１が形成されている。この第２の弾性変形部２１は位置固定爪部２０よりも幅の狭い連結部で構成され、この連結部（第２の弾性変形部）２１が撓む（弾性変形する）ことによって位置固定爪部２０は当接部１５に対し上下方向に回動できるようになっている。なお、符号２２は、当接部１５下面に突出して形成され、当接部１５を補強する補強用リブを示す。
【００１１】
なお、上記第1の弾性変形部１６と第２の弾性変形部２１とは必ずしも幅が狭く形成する必要はなく、当接部１５及び位置固定爪部２０よりも肉厚が薄く形成されていてもよいし、凹溝で構成されていてもよい。
【００１２】
上記構成の取付装置Ａによれば、図５に示すように、取付枠１と挟み金具２とを取付ネジ３で軽く連結した状態で、両方の挟み金具２の当接部１５が取付穴７から中空壁６の裏側面６ａに入り込むように中空壁６にセットする。その状態で取付ネジ３を締めこむと、位置固定爪２０の先端２０ａが中空壁６の裏側面６ａに当接するが、さらに取付ネジ３を締め込むと、第２の弾性変形部２１が撓んで位置固定爪２０の先端２０ａは中空壁６の裏側面６ａに軽く噛み込む状態になる。このとき当接部１５も中空壁６の裏側面６ａに当接するが、第１の弾性変形部１６が撓んで当接部１５は中空壁６の裏側面６ａに圧接し、取付枠１の張り出し部１ａと当接部１５とで取付穴７の周縁を挟持する状態になる（図６参照）。
【００１３】
この状態では、中空壁６を構成する石膏ボードの表面の保護シートに当接部１５が圧接するとともに、位置固定爪２０の先端２０ａが保護シートに噛み込んだ状態なので、取付枠１に取り付けられた配線器具Ｂを繰り返し使用して取付枠１に負荷が掛かるようなことがあっても、取付枠１の位置がずれるようなことはない。しかも、位置固定爪２０は第２の弾性変形部２１が撓むことによって先端２０ａが石膏ボードを破壊するほど強く噛み込むことはないので、配線器具Ｂを繰り返し使用して取付装置Ａに負荷がかかっても中空壁６が破損するようなことはない。
【００１４】
しかも、挟み金具２と取付枠１との幅がほぼ等しく形成されるとともに、挟み金具２が取付枠１に上下に回動可能に取り付けられているので、取付装置Ａを中空壁６に容易にセットすることができ、作業効率の向上も図ることができる。
【００１５】
【発明の効果】
本発明によれば、取付ネジを締めこむと第1の弾性変形部が撓んで当接部全面が中空壁の内壁面に圧接するとともに、位置固定爪部が内壁面に噛み込んで、取付枠を中空壁に確実に固定させることができる。しかも、第２の弾性変形部が撓むことにより位置固定爪部が中空壁に強く噛み込むことがなく、中空壁を大きく傷つけることがないので、長期に渡って配線器具を使用することにより取付装置に加えられる負荷で中空壁を損傷させるようなことがなくなる。
【図面の簡単な説明】
【図１】本発明に係る取付装置の分解斜視図
【図２】上記取付装置と配線器具と中空壁との関係を説明する斜視図
【図３】取付枠の正面図
【図４】（ａ）（ｂ）（ｃ）は挟み金具の正面図、右側面図及び底面図
【図５】上記取付装置を中空壁にセットした状態を説明する断面図
【図６】上記取付装置を中空壁に固定した状態を説明する断面図
【符号の説明】
１  取付枠
２  挟み金具
３  取付ネジ
６  中空壁
７  取付穴
１４  取付ネジ螺着部
１５  当接部
１６  第1の弾性変形部
２０  位置固定爪部
２１  第２の弾性変形部
【図１】
0004380898.tif 000002
【図２】
0004380898.tif 000003
【図３】
0004380898.tif 000004
【図４】
0004380898.tif 000005
【図５】
0004380898.tif 000006
【図６】
0004380898.tif 000007